【手続補正書】
【提出日】平成15年12月1日(2003.12.1)
【手続補正１】
【補正対象書類名】明細書
【補正対象項目名】発明の名称
【補正方法】変更
【補正の内容】
【発明の名称】電子データ配信方法及び電子データ配信システム


【手続補正２】
【補正対象書類名】明細書
【補正対象項目名】特許請求の範囲
【補正方法】変更
【補正の内容】
【特許請求の範囲】
【請求項１】
第１のエンティティにより、電子データに対して第１の電子透かしの埋め込み処理及び第１の暗号化処理を実行して第１のデータを作成するステップと、前記第１のデータを第２のエンティティへ送信するステップと、
前記第２のエンティティにより、前記第１のデータに対して第２の暗号化処理を実行して第２のデータを作成するステップと、署名データを作成するステップと、前記第２のデータや前記署名データを前記第１のエンティティへ送信するステップと、
前記第１のエンティティにより、前記第２のデータに対して前記第１の暗号化処理に対応する復号化処理を実行して得たデータに前記署名データの埋め込み処理を実行して第３のデータを作成するステップと、前記第３のデータを前記第２のエンティティへ送信するステップと、
前記第２のエンティティにより、前記第３のデータに対して前記第２の暗号化処理に対応する復号化処理を実行するステップとを備えたことを特徴とする電子データ配信方法。
【請求項２】
前記第１のエンティティにより、前記第３のデータのハッシュ値を取得するステップと、前記ハッシュ値を前記第２のエンティティへ送信するステップと、
前記第２のエンティティにより、前記第３のデータから得られるハッシュ値と前記第１のエンティティから送信されたハッシュ値とを比較することにより、前記第３のデータの正当性を検証するステップとを備えたことを特徴とする請求項１に記載の電子データ配信方法。
【請求項３】
前記ハッシュ値は前記第３のデータを一方向性関数により変換することにより得られることを特徴とする請求項２に記載の電子データの配信方法。
【請求項４】
前記第２のエンティティとその公開鍵を管理する第４のエンティティにより、証明書付公開鍵を前記第２のエンティティへ発行するステップと、
前記第２のエンティティにより、前記電子データ及び前記証明書付公開鍵を前記第１のエンティティへ送信するステップと、
前記第１のエンティティにより、前記証明書付公開鍵を前記第４のエンティティへ送信するステップと、
前記第４のエンティティにより、前記第１のエンティティから送信された証明書付公開鍵を検証するステップと、前記検証結果を前記第１のエンティティへ送信するステップとを更に備えたことを特徴とする請求項１に記載の電子データの配信方法。
【請求項５】
電子データに対して第１の電子透かしの埋め込み処理及び第１の暗号化処理を実行して第１のデータを作成する手段と、前記第１のデータを第２のエンティティへ送信する手段とを備えた第１のエンティティと、
前記第１のデータに対して第２の暗号化処理を実行して第２のデータを作成する手段と、署名データを作成する手段と、前記第２のデータや前記署名データを前記第１のエンティティへ送信する手段とを備えた前記第２のエンティティと、
前記第２のデータに対して前記第１の暗号化処理に対応する復号化処理を実行して得たデータに前記署名データの埋め込み処理を実行して第３のデータを作成する手段と、前記第３のデータを前記第２のエンティティへ送信する手段とを備えた前記第１のエンティティと、
前記第３のデータに対して前記第２の暗号化処理に対応する復号化処理を実行する手段とを備えた前記第２のエンティティとを備えたことを特徴とする電子データ配信システム。
【請求項６】
第１のエンティティにより、電子データに対して第１の電子透かしの埋め込み処理及び第１の暗号化処理を実行して第１のデータを作成するステップと、前記第１のデータを第２のエンティティへ送信するステップと、
前記第２のエンティティにより、署名データを作成するステップと、前記第１のデータに対して前記署名データの埋め込み処理及び第２の暗号化処理を実行して第２のデータを作成するステップと、前記第２のデータのハッシュ値を取得するステップと、前記第２のデータや前記第２のハッシュ値を前記第１のエンティティへ送信するステップと、
前記第１のエンティティにより、前記第２のデータからハッシュ値を取得し、前記送信された前記第２のハッシュ値と比較するステップと、前記比較結果に応じて前記第２のデータに対して前記第１の暗号化処理と対応する復号化処理を実行して第３のデータを取得するステップと、前記第３のデータのハッシュ値を取得するステップと、前記第３のデータや第３のハッシュ値を前記第２のエンティティへ送信するステップと、
前記第２のエンティティにより、前記第３のデータからハッシュ値を取得し、前記送信された第３のハッシュ値と比較するステップと、前記比較結果に応じて前記第３のデータに対して前記第２の暗号化処理と対応する復号化処理を実行するステップとを備えたことを特徴とする電子データ配信方法。
【手続補正３】
【補正対象書類名】明細書
【補正対象項目名】０００１
【補正方法】変更
【補正の内容】
【０００１】
【発明の属する技術分野】
本発明は電子データ配信方法および電子データ配信システムに関し、特に、動画像データ、静止画像データ、音声データ、コンピュータデータ、コンピュータプログラム等の著作権を有する電子データを配信するマルチメディアネットワークに用いて好適なものである。


【手続補正４】
【補正対象書類名】明細書
【補正対象項目名】００３８
【補正方法】変更
【補正の内容】
【００３８】
本発明は、ネットワーク上の複数のエンティティ間で電子データの配信を行うに際し、様々の組み合わせが想起されるエンティティ同士の結託による不正を防止することを目的としている。


【手続補正５】
【補正対象書類名】明細書
【補正対象項目名】００３９
【補正方法】変更
【補正の内容】
【００３９】
【課題を解決するための手段】
斯かる目的下において、本発明の請求項１の電子情報配信方法は、第１のエンティティにより、電子データに対して第１の電子透かしの埋め込み処理及び第１の暗号化処理を実行して第１のデータを作成するステップと、前記第１のデータを第２のエンティティへ送信するステップと、前記第２のエンティティにより、前記第１のデータに対して第２の暗号化処理を実行して第２のデータを作成するステップと、署名データを作成するステップと、前記第２のデータや前記署名データを前記第１のエンティティへ送信するステップと、前記第１のエンティティにより、前記第２のデータに対して前記第１の暗号化処理に対応する復号化処理を実行して得たデータに前記署名データの埋め込み処理を実行して第３のデータを作成するステップと、前記第３のデータを前記第２のエンティティへ送信するステップと、前記第２のエンティティにより、前記第３のデータに対して前記第２の暗号化処理に対応する復号化処理を実行するステップとを備えたことを特徴とする。


【手続補正６】
【補正対象書類名】明細書
【補正対象項目名】００４０
【補正方法】変更
【補正の内容】
【００４０】
また、本発明の請求項５の電子情報配信方法は、電子データに対して第１の電子透かしの埋め込み処理及び第１の暗号化処理を実行して第１のデータを作成する手段と、前記第１のデータを第２のエンティティへ送信する手段とを備えた第１のエンティティと、前記第１のデータに対して第２の暗号化処理を実行して第２のデータを作成する手段と、署名データを作成する手段と、前記第２のデータや前記署名データを前記第１のエンティティへ送信する手段とを備えた前記第２のエンティティと、前記第２のデータに対して前記第１の暗号化処理に対応する復号化処理を実行して得たデータに前記署名データの埋め込み処理を実行して第３のデータを作成する手段と、前記第３のデータを前記第２のエンティティへ送信する手段とを備えた前記第１のエンティティと、前記第３のデータに対して前記第２の暗号化処理に対応する復号化処理を実行する手段とを備えた前記第２のエンティティとを備えたことを特徴とする。


【手続補正７】
【補正対象書類名】明細書
【補正対象項目名】００４１
【補正方法】変更
【補正の内容】
【００４１】
また、本発明の請求項６の電子情報配信方法は、第１のエンティティにより、電子データに対して第１の電子透かしの埋め込み処理及び第１の暗号化処理を実行して第１のデータを作成するステップと、前記第１のデータを第２のエンティティへ送信するステップと、前記第２のエンティティにより、署名データを作成するステップと、前記第１のデータに対して前記署名データの埋め込み処理及び第２の暗号化処理を実行して第２のデータを作成するステップと、前記第２のデータのハッシュ値を取得するステップと、前記第２のデータや前記第２のハッシュ値を前記第１のエンティティへ送信するステップと、前記第１のエンティティにより、前記第２のデータからハッシュ値を取得し、前記送信された前記第２のハッシュ値と比較するステップと、前記比較結果に応じて前記第２のデータに対して前記第１の暗号化処理と対応する復号化処理を実行して第３のデータを取得するステップと、前記第３のデータのハッシュ値を取得するステップと、前記第３のデータや第３のハッシュ値を前記第２のエンティティへ送信するステップと、前記第２のエンティティにより、前記第３のデータからハッシュ値を取得し、前記送信された第３のハッシュ値と比較するステップと、前記比較結果に応じて前記第３のデータに対して前記第２の暗号化処理と対応する復号化処理を実行するステップとを備えたことを特徴とする。


【手続補正８】
【補正対象書類名】明細書
【補正対象項目名】００４２
【補正方法】削除
【補正の内容】
【手続補正９】
【補正対象書類名】明細書
【補正対象項目名】００４３
【補正方法】削除
【補正の内容】
【手続補正１０】
【補正対象書類名】明細書
【補正対象項目名】００４４
【補正方法】削除
【補正の内容】
【手続補正１１】
【補正対象書類名】明細書
【補正対象項目名】０１６３
【補正方法】変更
【補正の内容】
【０１６３】
【発明の効果】
以上説明したように、本発明によれば、ネットワーク上の複数のエンティティ間で電子データの配信を行うに際し、様々の組み合わせが想起されるエンティティ同士の結託による不正を防止することができる。